(57)【要約】【課題】    電話回線が未接続状態の場合に、電話機から電話回線網へのダイヤル発信動作が行われたときには、電話機に対して話中音を送出する電話回線状態検出制御装置およびその検出制御方法を提供する。【解決手段】    電話回線網３０、専用通信回線網２０および電話機４０が接続され、相手先電話機６０へのダイヤル発信動作を電話機４０に代わって行い、２本の線ＬＸ２ｎ、ＬＸ２ｒよりなる電話回線ＬＸ２に相手側電話機６０が接続されておらず２本の線ＬＸ２ｎ、ＬＸ２ｒの両方の電位が高い未接続状態と、電話回線ＬＸ２に着発信がなく２本の線の一方の線ＬＸ２ｎの電位が高い極性非反転状態と、２本の線の他方の線ＬＸ２ｒの電位が高い極性反転状態とを検出する開放極性検出部１０ｅと、電話機４０と電話回線ＬＸ２との接続およびダイヤル発信する動作を制御する制御部１０ａとを有する電話回線状態検出制御装置である。【選択図】      図１
2006262369.tif 000002
【特許請求の範囲】
【請求項１】
電話回線網、専用通信回線網および電話機が接続され、前記電話回線網または前記専用通信回線網を介して接続された相手先電話機へのダイヤル発信動作を前記電話機に代わって行う電話回線状態検出制御装置において、
前記電話回線網に接続され２本の線よりなる電話回線に、前記相手先電話機が接続されておらず、前記２本の線の両方の線の電位が高い未接続状態と、
前記電話回線に、前記相手先電話機が接続され、前記電話回線に着発信がなく前記２本の線のうちで一方の線の電位が高い極性非反転状態と、
前記電話回線に、前記相手先電話機が接続され、前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有することを特徴とする電話回線状態検出制御装置。
【請求項２】
前記電話回線状態検出制御装置において、
前記電話回線を介して接続された前記相手先電話機がダイヤル着信中であり、前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続する請求項１記載の電話回線状態検出制御装置。
【請求項３】
前記電話回線状態検出制御装置において、
前記電話回線状態検出制御装置の各部の動作を制御する制御部と、
前記電話回線網または前記専用通信回線網に接続された前記相手先電話機の発信先情報を記憶する記憶部と、
前記電話回線と前記電話回線を閉結状態にしてループを形成し、前記電話回線にトーンを送出するループ／トーン送出部と、
前記ループ検出部と、
前記開放極性検出部と、
前記電話回線の着信を検出するリンガー検出部と、
前記電話機の切替を制御する電話機インタフェース部と、
前記電話機インタフェース部の制御により切替を行う切替部と、
を備えた請求項１または２記載の電話回線状態検出制御装置。
【請求項４】
前記ループ検出部が、前記電話回線と、前記ループ／トーン送出部との間に設けられる請求項１〜３いずれか記載の電話回線状態検出制御装置。
【請求項５】
前記制御部が、前記電話回線の接続状態を示す開放極性検出状態判定テーブルと、前記開放極性検出部からの検出結果とを比較する請求項１〜４いずれか記載の電話回線状態検出制御装置。
【請求項６】
前記制御部が、前記電話回線の前記開放状態／前記閉結状態を示すループ検出状態判定テーブルと、前記ループ検出部からの検出結果とを比較する請求項１〜４いずれか記載の電話回線状態検出制御装置。
【請求項７】
前記制御部において、前記開放極性検出部からの検出結果と前記開放極性検出状態判定テーブルとが比較され、比較の結果、前記電話回線が前記未接続状態と判定された場合に、前記電話機に話中音を送出する請求項１〜６いずれか記載の電話回線状態検出制御装置。
【請求項８】
電話回線網、専用通信回線網および電話機が接続され、前記電話回線網または前記専用通信回線網を介して接続された相手先電話機へのダイヤル発信動作を前記電話機に代わって行う電話回線状態検出制御方法において、
前記電話回線網に接続され２本の線よりなる電話回線に、前記相手先電話機が接続されておらず、前記２本の線の両方の線の電位が高い未接続状態と、
前記電話回線に、前記相手先電話機が接続され、前記電話回線に着発信がなく前記２本の線のうちで一方の線の電位が高い極性非反転状態と、
前記電話回線に、前記相手先電話機が接続され、前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有して、電話回線状態検出制御を行うことを特徴とする電話回線状態検出制御方法。
【請求項９】
前記電話回線状態検出制御方法において、
前記電話回線を介して接続された前記相手先電話機がダイヤル着信中であり、前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続して、電話回線状態検出制御を行う請求項８記載の電話回線状態検出制御方法。
【請求項１０】
前記電話回線状態検出制御方法において、
前記電話回線状態検出制御装置の各部の動作を制御する制御部と、
前記電話回線網または前記専用通信回線網に接続された前記相手先電話機の発信先情報を記憶する記憶部と、
前記電話回線と前記電話回線を閉結状態にしてループを形成し、前記電話回線にトーンを送出するループ／トーン送出部と、
前記ループ検出部と、
前記開放極性検出部と、
前記電話回線の着信を検出するリンガー検出部と、
前記電話機の切替を制御する電話機インタフェース部と、
前記電話機インタフェース部の制御により切替を行う切替部と、
を備え、電話回線状態検出制御を行う請求項８または９記載の電話回線状態検出制御方法。
【発明の詳細な説明】
【技術分野】
【０００１】
本発明は、電話回線網および専用通信回線網ならびに電話機を接続し、電話機からのダイヤル発信情報により専用通信回線網に接続するか電話回線網に接続するかを決定して、電話機に代わり電話回線網に対して発信動作を行う通信機器に関し、特に電話回線網の状態検出を行う電話回線状態検出制御装置およびその状態検出制御方法に関する。
【背景技術】
【０００２】
近年、電話通信網は、既設のアナログ電話機などを使用する電話回線網以外に、Ｅａｔｈｅｒｎｅｔ（イーサネット：登録商標）などの専用通信回線網を使用したＩＰ（Ｉｎｔｅｒｎｅｔ  Ｐｒｏｔｃｏｌ）電話が混在して使用されることが一般的になっている。
【０００３】
この、電話回線網と専用通信回線網とを混在して使用する際に、回線の状態を検出して、接続を制御するための電話回線状態検出制御装置が周知となっている。
【０００４】
従来技術の電話回線状態検出制御装置は、図６に示すような構成になっている。
【０００５】
図６を参照すると、従来の電話回線状態検出制御装置１００は、上位側に電話回線網３００および高速の専用通信回線網２００が接続され、後位に電話機４００が接続されており、電話回線網３００または専用通信回線網２００を介して接続された相手先電話機６００へのダイヤル発信動作を電話機４００に代わって行う機能を有するものである。
【０００６】
より詳細には、電話回線状態検出制御装置１００は、専用通信回線網２００を介して相手先電話機６００が接続されている。また、電話回線状態検出制御装置１００は、電話回線ＬＬＸ２を介して電話回線網３００に接続され、電話回線網３００には電話回線ＬＬＸ２を介して相手先電話機６００が接続されている。
【０００７】
従来の電話回線状態検出制御装置１００の構成は、電話回線状態検出制御装置１００の各部の動作を制御する制御部１００ａと、相手先電話機６００の発信先情報を記憶する記憶部１００ｂと、電話回線ＬＬＸ２にトーンを送出するループ／トーン送出部１００ｃと、電話回線ＬＬＸ２のループ電流を検出するループ検出部１００ｄと、電話回線ＬＬＸ２の２本の線の極性の反転変化を検出する開放反転検出部１００ｅと、電話回線ＬＬＸ２の着信を検出するリンガー検出部１００ｆと、電話回線ＬＬＸ２と電話機４００の切替を制御する電話機インタフェース部１００ｇと、電話機インタフェース部１００ｇの制御により切替を行う切替部１００ｈとを備えている。
【０００８】
開放反転検出部１００ｅは、電話回線ＬＬＸ２の２線間の極性が反転変化したことを検出する機能を有する。
【０００９】
ループ検出部１００ｄは、相手先電話機６００の送受話器がオフフック状態にある電話回線ＬＬＸ２の閉結状態であるか、相手先電話機６００の送受話器がオンフック状態にある電話回線ＬＬＸ２の開放状態であるかを検出する機能を有する。
【００１０】
リンガー検出部１００ｆは、電話回線ＬＬＸ２に着信がある場合にこの着信をリンガーにより検出し、検出結果を制御部１００ａに通知する機能を有する。このリンガー検出により、着信が電話機４００に対してのものであれば、制御部１００ａは、電話機インタフェース部１００ｇおよび切替部１００ｈを介して、電話回線ＬＬＸ２と電話機４００とを直接接続する。
【００１１】
電話機４００のダイヤル発信動作があった場合には、切替部１００ｈおよび電話機インタフェース１００ｇを経由して、電話回線状態検出制御装置１００の制御部１００ａがこのダイヤル発信の情報を受け取る。制御部１００ａは、このダイヤル発信情報を記憶部１００ｂに記憶されている相手先電話機６００の発信先情報と比較して、ダイヤル発信情報が電話回線ＬＬＸ２に対する発信であるときは、制御部１００ａは、開放反転検出部１００ｅによる電話回線ＬＬＸ２の極性反転変化の検出を行う。この開放反転検出部１００ｅの検出結果から電話回線ＬＬＸ２が開放状態（すなわち電話回線ＬＬＸ２が接続されている状態）にあると確認したときは、制御部１００ａは、ダイヤル発信情報を電話回線ＬＬＸ２に発信する。
【特許文献１】特開２００１−１６３５２号公報
【特許文献２】特開２００３−１７４５１７号公報
【特許文献３】特開平７−２８８５６５号公報
【特許文献４】特開平１０−２８１８１号公報
【特許文献５】特開２００３−１０１６６９号公報
【発明の開示】
【発明が解決しようとする課題】
【００１２】
しかしながら従来の電話回線状態検出制御装置１００は、電話機４００から電話回線網３００の電話回線ＬＬＸ２へのダイヤル発信動作が行われたときに、電話回線ＬＬＸ２が未接続状態でもその未接続状態が検出できない。このため、電話機４００からのダイヤル発信情報を電話回線ＬＬＸ２側に送出し、ダイヤル発信動作後一定時間を待って電話機４００と電話回線ＬＬＸ２とを接続していた。電話回線状態検出制御装置１００では、このときに電話回線ＬＬＸ２が未接続状態なのか、電話機４００が通話を終了して開放状態になったのかを識別することができなかった。
【００１３】
このため、電話回線状態検出制御装置１００は、電話機４００と電話回線ＬＬＸ２とを接続した後、すぐに相手先電話機６００との通話が終了したと判断して、再び電話機４００を電話回線状態検出制御装置１００側の制御に切り替える。すると、電話回線状態検出制御装置１００側では、電話機４００が閉結状態に見えるので、再び電話機４００に対してダイヤルトーンを送出することになる。電話機４００のユーザーにとっては、この送出されたダイヤルトーンのため、再び電話回線ＬＬＸ２に対してダイヤル発信動作を行ってしまう。
【００１４】
このように従来の電話回線状態検出制御装置１００の動作では、電話回線ＬＬＸ２が未接続の状態を検出不可能であり、電話機４００のユーザーに対してこの電話回線ＬＬＸ２の未接続状態を通知することができないという問題があった。
【００１５】
また、電話機４００から電話回線ＬＬＸ２へのダイヤル発信動作が行われた場合に、制御部１００ａは、電話機インタフェース部１００ｇに制御指示を出すことにより、接続されている電話回線ＬＬＸ２へダイヤル発信したときには電話機４００を電話回線状態検出制御装置１００側の制御（これは、電話機４００と制御部１００ａとが切替部１００ｈおよび電話機インタフェース部１００ｇを介して接続されている状態を意味する）のもとにおいていたのを、ダイヤル発信動作後一定時間経過後に電話機４００と電話回線ＬＬＸ２とを切替部１００ｈを介しての直接接続に切り替える。
【００１６】
このときループ検出部１００ｄが電話回線ＬＬＸ２の閉結状態時の極性検出をできないため、一定時間が経過する前に発信先の相手先電話機６００が応答する場合には、ユーザーが通話開始時に通話の始めが途切れる可能性があるという問題があった。
【００１７】
そこで本発明の目的は、電話回線網（または、電話回線）が未接続状態の場合で電話回線状態検出制御装置に接続された電話機から電話回線網へのダイヤル発信動作が行われたときには、そのダイヤル発信動作の時点で電話機に対して話中音（ビジートーン）を送出し、電話回線網に対してダイヤル発信できないことを即座に電話機のユーザーに通知することができる電話回線状態検出制御装置およびその検出制御方法を提供することである。
【００１８】
さらには、電話機から電話回線網へのダイヤル発信動作が行われたときには、電話回線へのダイヤル発信動作後の一定時間経過前に相手先電話機が応答した場合には一定時間を待たずに即座に電話機と電話回線とを接続し、ユーザーの通話開始時にも通話の始めが途切れることのない電話回線状態検出制御装置およびその検出制御方法を提供することである。
【課題を解決するための手段】
【００１９】
上記目的を達成するために、第１の発明は、電話回線網、専用通信回線網および電話機が接続され、前記電話回線網または前記専用通信回線網を介して接続された相手先電話機へのダイヤル発信動作を前記電話機に代わって行う電話回線状態検出制御装置において、
前記電話回線網に接続され２本の線よりなる電話回線に、前記相手先電話機が接続されておらず、前記２本の線の両方の線の電位が高い未接続状態と、
前記電話回線に、前記相手先電話機が接続され、前記電話回線に着発信がなく前記２本の線のうちで一方の線の電位が高い極性非反転状態と、
前記電話回線に、前記相手先電話機が接続され、前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有する電話回線状態検出制御装置である。
【００２０】
第２の発明は、前記電話回線状態検出制御装置において、
前記電話回線を介して接続された前記相手先電話機がダイヤル着信中であり、前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続するものである。
【００２１】
第３の発明は、前記電話回線状態検出制御装置において、
前記電話回線状態検出制御装置の各部の動作を制御する制御部と、
前記電話回線網または前記専用通信回線網に接続された前記相手先電話機の発信先情報を記憶する記憶部と、
前記電話回線と前記電話回線を閉結状態にしてループを形成し、前記電話回線にトーンを送出するループ／トーン送出部と、
前記ループ検出部と、
前記開放極性検出部と、
前記電話回線の着信を検出するリンガー検出部と、
前記電話機の切替を制御する電話機インタフェース部と、
前記電話機インタフェース部の制御により切替を行う切替部と、
を備えたものである。
【００２２】
第４の発明は、前記ループ検出部が、前記電話回線と、前記ループ／トーン送出部との間に設けられるものである。
【００２３】
第５の発明は、前記制御部が、前記電話回線の接続状態を示す開放極性検出状態判定テーブルと、前記開放極性検出部からの検出結果とを比較するものである。
【００２４】
第６の発明は、前記制御部が、前記電話回線の前記開放状態／前記閉結状態を示すループ検出状態判定テーブルと、前記ループ検出部からの検出結果とを比較するものである。
【００２５】
第７の発明は、前記制御部において、前記開放極性検出部からの検出結果と前記開放極性検出状態判定テーブルとが比較され、比較の結果、前記電話回線が前記未接続状態と判定された場合に、前記電話機に話中音を送出するものである。
【００２６】
第８の発明は、用通信回線網および電話機が接続され、前記電話回線網または前記専用通信回線網を介して接続された相手先電話機へのダイヤル発信動作を前記電話機に代わって行う電話回線状態検出制御方法において、
前記電話回線網に接続され２本の線よりなる電話回線に、前記相手先電話機が接続されておらず、前記２本の線の両方の線の電位が高い未接続状態と、
前記電話回線に、前記相手先電話機が接続され、前記電話回線に着発信がなく前記２本の線のうちで一方の線の電位が高い極性非反転状態と、
前記電話回線に、前記相手先電話機が接続され、前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有して、電話回線状態検出制御を行う電話回線状態検出制御方法である。
【００２７】
第９の発明は、前記電話回線状態検出制御方法において、
前記電話回線を介して接続された前記相手先電話機がダイヤル着信中であり、前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続して、電話回線状態検出制御を行う方法である。
【００２８】
第１０の発明は、前記電話回線状態検出制御方法において、
前記電話回線状態検出制御装置の各部の動作を制御する制御部と、
前記電話回線網または前記専用通信回線網に接続された前記相手先電話機の発信先情報を記憶する記憶部と、
前記電話回線と前記電話回線を閉結状態にしてループを形成し、前記電話回線にトーンを送出するループ／トーン送出部と、
前記ループ検出部と、
前記開放極性検出部と、
前記電話回線の着信を検出するリンガー検出部と、
前記電話機の切替を制御する電話機インタフェース部と、
前記電話機インタフェース部の制御により切替を行う切替部と、
を備え、電話回線状態検出制御を行う方法である。
【００２９】
このように、従来よりも電話回線の回線状態をより細かく検出する機能を有することで、相手先電話機の接続状態（未接続状態）が分かるので、未接続状態の場合にこれに対応した動作としてダイヤル発信した電話機に対して話中音を返し、ダイヤル発信したユーザーが未接続状態を知ることができる。また、相手先電話機の接続状態が分かった後に、さらに電話回線の開放状態／閉結状態もより細かく検出し、電話回線を閉結状態にしたときの極性も検出することができるので、相手先電話機がオンフック状態にあるのか、オフフック状態にあるのかも分かり、相手先電話機がオフフック状態になった場合にはダイヤル発信した電話機と相手先電話機をすぐに接続する制御を行うことも可能になる。
【００３０】
また、ループ検出部が、電話回線とループ／トーン送出部との間に設けられることで、電話回線の閉結状態が、電話機側で閉結されてループが形成されているのか、相手先電話機側で閉結されてループが形成されているのかも、ループ検出部による電話回線の電流およびその電流の流れる方向の検出で、閉結方向を検出することも可能になる。
【００３１】
このような検出、制御が可能になることで、電話機のユーザーに対して電話回線状態に応じた情報を通知する使い勝手のよい電話機および電話回線を提供することに繋がる。
【００３２】
本発明によれば、電話回線が未接続状態の場合で、装置に接続された電話機から電話回線網への発信動作が行われたときには、その発信動作の時点で電話機に対して話中音（ビジートーン）を送出し、電話回線網に対してダイヤル発信できないことを電話機のユーザーに通知することができる電話回線状態検出制御装置およびその検出制御方法を得られる。
【００３３】
さらには、電話機から電話回線網への発信動作が行われ、電話回線へのダイヤル発信後の一定時間経過前に相手先電話機が応答した場合に、一定時間を待たずに電話機と電話回線とを接続し、ユーザーの通話開始時にも通話の始めが途切れることのない電話回線状態検出制御装置およびその検出制御方法を得られる。
【発明の効果】
【００３４】
本発明によれば、電話回線が未接続状態の場合にはダイヤル発信動作の時点で電話機に対して話中音を送出し、電話回線に発信できないことをにユーザーに通知することができる電話回線状態検出制御装置およびその検出制御方法を得られる。
【発明を実施するための最良の形態】
【００３５】
本発明を実施するための形態について図面を参照して詳細に説明する。
【００３６】
図１は、本実施形態の電話回線状態検出制御装置の構成例を示すブロック図である。
【００３７】
図１を参照すると、電話回線状態検出制御装置１０には、上位側に電話回線網３０および高速の専用通信回線網２０が接続され、後位側に既認定アナログ電話機（以下単に、電話機と称する）４０が接続されており、電話回線網３０または専用通信回線網２０を介して接続された相手先電話機６０へのダイヤル発信動作を電話機４０に代わって行う電話回線状態検出制御の機能を有するものである。
【００３８】
より詳細には、電話回線状態検出制御装置１０は、専用回線ＬＸ１を介して専用通信回線網２０に接続され、専用回線通信網２０には専用回線ＬＸ１を介して相手先電話機６０が接続されている。ここで、専用回線ＬＸ１に接続された相手先電話機６０を区別して、ＩＰ電話機６０ｉと称する。
【００３９】
また、電話回線状態検出制御装置１０は、電話回線ＬＸ２を介して電話回線網３０に接続され、電話回線網３０には電話回線ＬＸ２を介して相手先電話機６０が接続されている。
【００４０】
電話回線状態検出制御装置１０の構成は、電話回線状態検出制御装置１０の各部の動作を制御する制御部１０ａと、相手先電話機６０の発信先情報を記憶する記憶部１０ｂと、電話回線ＬＸ２にトーンを送出するループ／トーン送出部１０ｃと、電話回線ＬＸ２のループ電流およびその電流の流れる方向（極性）を検出するループ検出部１０ｄと、電話回線ＬＸ２の電位を検出する開放極性検出部１０ｅと、電話回線ＬＸ２の着信を検出するリンガー検出部１０ｆと、電話回線ＬＸ２と電話機４０の切替を制御する電話機インタフェース部１０ｇと、電話機インタフェース部１０ｇの制御により切替を行う切替部１０ｈとを備えている。
【００４１】
制御部１０ａと記憶部１０ｂとは電気的に接続されており、制御部１０ａとループ／トーン送出部１０ｃとは電気的に接続されており、制御部１０ａとループ検出部１０ｄとは電気的に接続されており、制御部１０ａと開放極性検出部１０ｅとは電気的に接続されており、制御部１０ａとリンガー検出部１０ｆとは電気的に接続されており、制御部１０ａと電話機インタフェース部１０ｇとは電気的に接続されており、電話機インタフェース部１０ｇと切替部１０ｈとは電気的に接続されている。
【００４２】
制御部１０ａと電話機インタフェース部１０ｇとは装置内回線ＬＮ１を介しても接続されている。専用回線ＬＸ１と、制御部１０ａとは装置内回線ＬＮ２を介して接続されており、電話回線ＬＸ２と、切替部１０ｈとは装置内回線ＬＮ３を介して接続されている。電話機４０と切替部１０ｈとは装置内回線ＬＮ４を介して接続されており、電話機インタフェース部１０ｇと切替部１０ｈとは装置内回線ＬＮ５を介して接続されている。
【００４３】
ループ／トーン送出部１０ｃと装置内回線ＬＮ３とは電気的に接続されており、開放極性検出部１０ｅと装置内回線ＬＮ３とは電気的に接続されており、リンガー検出部１０ｆと装置内回線ＬＮ３とは電気的に接続されている。
【００４４】
専用回線網２０、電話回線網３０、電話回線ＬＸ１、専用回線ＬＸ２および装置内回線ＬＮ１〜５は、平行２線もしくは同軸線路などで形成される回線である。
【００４５】
制御部１０ａは、切替部１０ｈおよび電話機インタフェース部１０ｇを介して、電話機４０からのダイヤル発信情報を受信したり、専用通信回線網２０、専用回線ＬＸ１、電話回線網３０および電話回線ＬＸ２からの着信通知を電話機４０に対して送出する機能を有しており、着信通知により電話機４０の接続などを制御することができる。
【００４６】
より詳しくは、制御部１０ａは、ループ検出部１０ｄ、開放極性検出部１０ｅ、リンガー検出部１０ｆなどの検出結果を基に、電話回線ＬＸ２を閉結したり電話回線ＬＸ２にトーンを送出するために、ループ／トーン送出部１０ｃを制御する機能を有する。
【００４７】
さらには、制御部１０ａは、電話機インタフェース部１０ｇを介して切替部１０ｈを切替制御するための指示を出す機能を有する。この電話機インタフェース部１０ｇを介した切替制御により、切替部１０ｈは、電話機４０を電話機インタフェース部１０ｇに接続するか、電話機４０を電話回線網３０、電話回線ＬＸ２に接続するかの切替を行う。
【００４８】
記憶部１０ｂは、予め定められている相手先電話機６０の発信先情報などを記憶し、必要に応じて制御部１０ａなどに出力する機能を有する。
【００４９】
ループ／トーン送出部１０ｃは、電話回線ＬＸ２とループを形成して、電話回線ＬＸ２を閉結状態にし、電話回線ＬＸ２にトーンを送出する機能を有する。
【００５０】
ループ検出部１０ｄは、装置内回線ＬＮ３に近接して設けられるとよく、さらに電話回線網３０、電話回線ＬＸ２とループ／トーン送出部１０ｃとの間に設けられるとよい。このループ検出部１０ｄの配置により、電話回線ＬＸ２と電話機４０との閉結状態がループ検出部１０ｄにより検出することができるほか、電話回線ＬＸ２と電話回線状態検出制御装置１０との間の閉結方向も検出することができるため、電話回線ＬＸ２の閉結が電話機４０側で行われたのか、電話回線ＬＸ２の閉結が相手先電話機６０側で行われたのかの検出も可能となり、これらの検出結果はループ検出部１０ｄから制御部１０ａに通知される。
【００５１】
開放極性検出部１０ｅは、電話回線ＬＸ２の２線間の電位により回線状態（接続状態）を検出し、検出結果を制御部１０ａに通知する機能を有する。なお、図１では、この電話回線ＬＸ２の回線状態は、電話回線ＬＸ２と繋がっている装置内回線ＬＮ３において開放極性検出部１０ｅが検出することになるが、特に断らない限り以下の回線状態の検出などの説明においては、装置内回線ＬＮ３は省略して説明する。
【００５２】
従来技術の開放反転検出部１００ｅ（図６参照）は、電話回線ＬＬＸ２が開放時に２線間の極性が反転変化したことのみを検出する機能を有していたのに対して、開放極性検出部１０ｅは、開放反転検出部１００ｅに回路を追加して、電話回線ＬＸ２の２線間の電位差の高低を検出する機能を有するようにし、電話回線ＬＸ２の接続状態（開放状態）をより詳しく検出できるようにした。
【００５３】
この開放極性検出部１０ｅの検出機能により、２本の線ＬＸ２ｎ、ＬＸ２ｒで構成された電話回線ＬＸ２のいずれの線ＬＸ２ｎ、ＬＸ２ｒの電位が高いかが検出でき、２本の線ＬＸ２ｎ、ＬＸ２ｒ間の電位が同電位である状態も検出できるようになっている。
【００５４】
電話回線ＬＸ２の電位は、電話回線ＬＸ２の開放状態時には２本の線ＬＸ２ｎ、ＬＸ２ｒのうちいずれかの電位が高い状態になっており、電話回線ＬＸ２の一方の線ＬＸ２ｎの電位が他方の線ＬＸ２ｒの電位に比べて高い場合にこれを開放ノーマルもしくは極性非反転状態と定義し、この電話回線ＬＸ２の極性が反転して他方の線ＬＸ２ｒの電位が一方の線ＬＸ２ｎの電位に比べて高くなった状態は、開放リバースもしくは極性反転状態と定義することができる。
【００５５】
電話回線ＬＸ２の電位が、電話回線ＬＸ２の一方の線ＬＸ２ｎのある一定の高さの電位と他方の線ＬＸ２ｒの電位とが同じ高さにある場合には、電話回線ＬＸ２に相手先電話機６０は接続されていない回線未接続状態である。
【００５６】
リンガー検出部１０ｆは、電話回線網３０に繋がっている電話回線ＬＸ２のリンガー検出を行うことにより電話回線ＬＸ２への着信を検出し、この着信検出を制御部１０ａに通知する機能を有している。
【００５７】
電話機インタフェース部１０ｇは、電話機４０からのＰＢ（プッシュボタン）またはＤＰ（ダイヤルパルス）によるダイヤル発信情報を切替部１０ｈを介して受信して、この受信した電話機４０のダイヤル発信情報を信号変換処理した後、制御部１０ａに通知したり、電話機４０を専用回線ＬＸ１に接続するか、電話機４０を電話回線ＬＸ２に接続するかの切替を制御部１０ａからの指示に応じて制御する機能を有する。
【００５８】
専用通信回線網２０および専用回線ＬＸ１は、イーサネットなどに代表される高速のデータ通信回線で形成されており、ＩＰ電話などを含んだ実施例として１０ＢＡＳＥ−Ｔ、１００ＢＡＳＥ−ＴＸなどの規格に基づく回線が一般的によく用いられている。
【００５９】
電話回線網３０および電話回線ＬＸ２は、２線式のアナログ線路による電話回線であり、既認定アナログ電話機（電話機）４０を接続し通話を行うためのものである。
【００６０】
図１に示す装置の動作および処理手順を、図４、図５を参照して説明する。
【００６１】
図４は、本実施形態の電話回線状態検出制御装置１０の電話回線接続状態（開放状態）／未接続状態検出の手順を示すフローチャートである。
【００６２】
図１の電話回線状態検出制御装置１０が起動した後、制御部１０ａは、電話機インタフェース部１０ｇを介して切替部１０ｈを切替制御して、電話機４０と電話機インタフェース部１０ｇとを接続した状態にする。この接続状態で、電話回線状態検出制御装置１０は、着信もしくは発信があるまで待機するアイドル状態となる（図４のステップＳ１）。
【００６３】
次にこのアイドル状態から、ユーザーが電話機４０の送受話器をフックから上げてダイヤル発信動作を行うと、この電話機４０からのダイヤル発信情報は、装置内回線ＬＮ４、切替部１０ｈ、装置内回線ＬＮ５を介して電話機インタフェース１０ｇに達する。電話機インタフェース１０ｇは、このダイヤル発信情報を制御部１０ａが扱うことのできるように信号変換処理した後、制御部１０ａに通知する。
【００６４】
この通知を受け取った制御部１０ａは、記憶部１０ｂに記憶されている発信先情報を読み出して、この記憶部１０ｂの発信先情報と受け取った通知内容とを比較して、電話機４０のダイヤル発信動作が電話回線網３０、電話回線ＬＸ２に向けての発信を行ったものなのか、この電話機４０のダイヤル発信動作が専用通信回線網２０、専用回線ＬＸ１に向けての発信を行ったものなのかいずれであるかを判断し（図４のステップＳ２）、該当する専用回線ＬＸ１もしくは電話回線ＬＸ２に対してダイヤル発信動作する制御を行う。
【００６５】
電話機４０のダイヤル発信動作が、専用通信回線網２０、専用回線ＬＸ１へ向けての発信である場合（図４中、ステップＳ２の右側に「いいえ：ＩＰ通話発信」と表示した流れ）には、制御部１０ａは、専用通信回線網２０に接続されている図示しないサーバーへこのダイヤル発信情報を送り、この図示しないサーバーの制御によって電話機４０のダイヤル発信動作で指定したＩＰ電話機６０ｉに発信、接続して（図４のステップＳ３）、電話機４０のとＩＰ電話機６０ｉとのＩＰ通話を行う。
【００６６】
このＩＰ通話のときの接続は、電話機４０から装置内回線ＬＮ４、切替部１０ｈ、装置内回線ＬＮ５、電話機インタフェース部１０ｇ、装置内回線ＬＮ１、制御部１０ａ、装置内回線ＬＮ２、専用回線ＬＸ１、専用通信回線網２０、専用回線ＬＸ１を経由して、ＩＰ電話機６０ｉに接続されている。
【００６７】
制御部１０ａは、電話機４０とＩＰ電話機６０ｉとのＩＰ通話が終了したかＩＰ通話中かを判断し、ＩＰ通話中と判断した（図４中ステップＳ４の右側に「いいえ」と表示した流れ）ならば専用回線ＬＸ２との接続を継続し、ＩＰ通話が終了したと判断した（図４中ステップＳ４の下側に「はい」と表示した流れ）ならば、制御部１０ａは、電話機インタフェース部１０ｇを介して切替部１０ｈに制御指示を出し、電話機インタフェース部１０ｇと電話機４０との接続を行い、着発信があるまで待機するアイドル状態に戻る（図４のステップＳ１）。
【００６８】
これに対して、制御部１０ａが、電話機４０のダイヤル発信動作を電話回線網３０、電話回線ＬＸ２へ向けてのダイヤル発信動作であると判断した場合（図４中、ステップＳ２の下側に「はい」と表示した流れ）には、制御部１０ａは、開放極性検出部１０ｅによって電話回線ＬＸ２の開放状態（接続状態）を検出した結果を確認する（図４のステップＳ５）。
【００６９】
このときの開放極性検出部１０ｅの検出結果を従来技術の開放反転検出部１００ｅ（図６参照）の動作（検出結果）と比較してみると、次のような相違がある。この相違を、図２により説明する。
【００７０】
図２（ａ）は、本実施の形態の開放極性検出部１０ｇによる電話回線ＬＸ２の接続状態（電話回線ＬＸ２の開放状態／回線未接続状態）判定を示す開放極性検出状態判定テーブルである。図２（ｂ）の上方は、従来技術の開放反転検出部１００ｇによる電話回線ＬＬＸ２の極性反転判定を示す判定テーブルであり、図２（ｂ）の下方は、従来技術の開放反転検出部１００ｇによる判定を行うために定義された電話回線ＬＬＸ２の状態を示す参考テーブルである。
【００７１】
ここで、以下に説明する回線の状態は、主に次のような状態がある。
【００７２】
回線の開放状態は、電話回線ＬＸ２、ＬＬＸ２に接続された相手先電話機６０、６００の送受話器が置かれたオンフック状態であることを意味し、閉結状態は、電話回線ＬＸ２、ＬＬＸ２に接続された相手先電話機６０、６００の送受話器が取られたオフフック状態であることを意味し、開放ノーマルは、電話回線ＬＸ２、ＬＬＸ２に接続された相手先電話機６０、６００に着信または発信がない状態を意味し、このとき上に述べたように一方の線ＬＸ２ｎの方が電位は高くなっており、開放リバースは、電話回線ＬＸ２、ＬＬＸ２に相手先電話機６０、６００が接続された状態を意味し、このとき上に述べたように他方の線ＬＸ２ｒの方が電位は高くなっている。回線未接続状態は、相手先電話機６０、６００が電話回線ＬＸ２、ＬＬＸ２に接続されていないことを意味する。
【００７３】
また、閉結ノーマルは、相手先電話機６０、６００にダイヤル着信があるが相手先電話機６０、６００の送受話器が置かれたオンフック状態であることを意味し、閉結リバースは、相手先電話機６０、６００にダイヤル着信がありこのダイヤル着信により相手先電話機６０、６００の送受話器が取られたオフフック状態であることを意味する。
【００７４】
従来の開放反転検出部１００ｅは、電話回線ＬＬＸ２の回線未接続状態が検出できず、図２の（ｂ）の下方の参考テーブルから分かるように、電話回線ＬＬＸ２の開放リバースと電話回線ＬＬＸ２の回線未接続状態との区別がつかない状態であった。
【００７５】
この区別のつかない電話回線ＬＬＸ２の開放リバースと電話回線ＬＬＸ２の回線未接続状態とをまとめて、１ビットの論理‘１’で表す状態とし、電話回線ＬＬＸ２の開放ノーマル状態を論理‘０’で表す状態としていた。
【００７６】
極性反転判定部１００ｅは、図２の（ｂ）の上方の表から分かるように、この論理の反転変化である‘１→０’または‘０→１’を検出して、状態の判定として電話回線ＬＬＸ２に極性の反転変化があったことを制御部１００ａに通知していた。
【００７７】
このため、制御部１００ａは、電話回線ＬＬＸ２の極性が反転変化したことが分かるのみで、電話回線ＬＬＸ２が開放リバースの状態にあるのか、回線未接続の状態にあるのかを知ることはできなかった。
【００７８】
このときの従来の電話回線状態検出制御装置１００の動作は、極性反転検出部１００ｅが電話回線ＬＬＸ２の回線未接続状態を検出できなかったため、電話回線網３００、電話回線ＬＬＸ２へのダイヤル発信動作の場合には、電話機４００のダイヤル発信動作後、電話回線状態検出制御装置１００内の図示しないタイマが起動され、このタイマのカウント満了を待って、電話機４００を電話回線ＬＬＸ２に直接接続していた。
【００７９】
ところが、このとき電話回線ＬＬＸ２が回線未接続状態であるとすると、電話機４００を直接接続した直後に電話回線ＬＬＸ２が開放状態となり、制御部１００ａは、この開放状態を発信先の相手先電話機６０の送受話器がオンフックになったものと誤った判断をすることによって、通話終了と判断する。
【００８０】
これに対して、本実施形態の開放極性検出部１０ｅの検出結果は、下に示す３種類の回線状態に分類され、制御部１０ａは、電話回線ＬＸ２の３種類の回線状態に対応した図２（ａ）に示す開放極性検出状態判定テーブルと開放極性検出部１０ｅの検出結果とを比較して電話回線ＬＸ２の回線状態を判定している。なお、この開放極性検出状態判定テーブルは、制御部１０ａもしくは記憶部１０ｂに記憶しておいて、制御部１０ａからの要求に応じて開放極性検出状態判定テーブルのデータを制御部１０ａに出力するとよい。
【００８１】
１つ目の検出状態は、電話回線ＬＸ２の開放ノーマル状態である。この開放ノーマルは、この電話回線ＬＸ２に接続されている相手先電話機６０がオンフック（開放）の状態にあり、かつこの電話機において発信も着信もない状態であり、このときの検出状態を２ビットの論理‘１０’と定義する。
【００８２】
２つ目の検出状態は、電話回線ＬＸ２の開放リバース状態である。この開放リバースは、この電話回線ＬＸ２に接続されている相手先電話機６０がオンフック（開放）の状態にある状態を指し、このときの検出状態を２ビットの論理‘０１’と定義する。
【００８３】
３つ目の検出状態は、電話回線ＬＸ２の回線未接続状態である。この回線未接続状態は、電話回線ＬＸ２に相手先電話機６０が接続されていない状態を指し、このときの検出状態を２ビットの論理‘１１’と定義する。
【００８４】
開放極性検出部１０ｅにより検出され出力されたこれらの検出結果は、開放極性検出部１０ｅから制御部１０ａに通知され、制御部１０ａは、これらの検出結果と図２（ａ）の開放極性検出状態判定テーブルとを比較することにより、電話回線ＬＸ２が接続されているかどうかを判定する（図４のステップＳ５）。
【００８５】
制御部１０ａの比較判定が、論理‘１１’すなわち電話回線ＬＸ２が回線未接続状態（図４中のステップＳ５の右側に「いいえ」と表示した流れ）であれば、制御部１０ａはこの回線未接続状態に応じて電話機インタフェース部１０ｇ、切替部１０ｈを介して、電話機４０に話中音（ビジートーン）を送出する（図４のステップＳ６）。
【００８６】
この話中音の送出は、この時点において電話機４０のダイヤル発信が、電話回線網３０、電話回線ＬＸ２へ向けてできないことを意味し、このことを電話機４０のユーザーに通知していることにほかならない。
【００８７】
この電話機４０への話中音（ビジートーン）を送出後、制御部１０ａは、電話機４０が開放されたかどうかを判断し（図４のステップＳ７）、開放されていない（すなわち、電話機４０がダイヤル発信動作中である）と判断した（図４中、ステップＳ７の右側に表示した「いいえ」の流れ）ならば引き続き話中音を送出する。電話機４０が開放された（すなわち、電話機４０がダイヤル発信動作を止めた）と判断した（図４中、ステップＳ７の下側に表示した「はい：話中音停止」の流れ）ならば、電話機４０への話中音の送出を停止して、制御部１０ａは、電話機インタフェース部１０ｇを介して制御指示を出して電話機インタフェース部１０ｇと電話機４０との接続を行い、電話機４０もしくは電話回線状態検出制御装置１０への発信／着信が新たに生じるまでアイドル状態に戻る（図４のステップＳ１）。
【００８８】
制御部１０ａの比較判定が、論理‘１０’すなわち電話回線ＬＸ２が開放ノーマル（このときは、図４中のステップＳ５の下側に「はい」と表示した流れになる）であれば、制御部１０ａはこの開放ノーマルに応じて電話回線ＬＸ２が接続されていると判断する。
【００８９】
そこで、制御部１０ａは、ループ／トーン送出部１０ｃに対して制御指示を出し、この制御指示を受けたループ／トーン送出部１０ｃはループを形成することで電話回線ＬＸ２を閉結状態にした後、電話回線ＬＸ２にダイヤル発信する（図５のステップＳ８）。
【００９０】
制御部１０ａの比較判定が、論理‘０１’すなわち電話回線ＬＸ２が開放リバース（このときは、図４中のステップＳ５の下側に「はい」と表示した流れになる）であれば、制御部１０ａはこの開放リバースに応じて電話回線ＬＸ２が接続されていると判断し、電話回線ＬＸ２にダイヤル発信動作する（図５のステップＳ８）。
【００９１】
図５は、本実施形態の電話回線状態検出制御装置の電話回線閉結時極性検出の手順を示すフローチャートである。
【００９２】
電話回線ＬＸ２にダイヤル発信する（図５のステップＳ８）と同時に、制御部１０ａは、図示しないタイマを起動させ、ループ検出部１０ｄのループ検出結果（電話回線ＬＸ２の極性）を監視しつつ、タイマのカウントが満了したかどうかを判定する（図５のステップＳ９）。
【００９３】
タイマが満了していない場合（図５のステップＳ９の右側の「いいえ」の流れ）には、ループ検出部１０ｄのループ検出結果を制御部１０ａに通知する。
【００９４】
このときのループ検出部１０ｄのループ検出を従来技術のループ検出部１００ｄ（図６参照）の動作と比較してみると、次のような相違がある。この相違を、図３により詳細に説明する。
【００９５】
図３（ａ）は、本実施の形態のループ検出部１０ｄによる電話回線ＬＸ２の閉結時極性（電話回線ＬＸ２の開放状態／閉結状態を示す）検出判定を示すループ検出状態判定テーブルである。図３（ｂ）は、従来技術のループ検出部１００ｄによる電話回線ＬＬＸ２の閉結状態／開放状態の判定を示す判定テーブルである。
【００９６】
従来のループ検出部１００ｄは、相手先電話機６００との閉結状態において流れる電流の方向に関係なく規定値以上の電流が流れたことを検出し、制御部１００ａに通知していた。しかし、制御部１００ａからの指示によりループ／トーン送出部１００ｃが電話回線ＬＬＸ２を閉結した場合には、電話回線ＬＬＸ２の閉結状態を検出することができなかった。
電話回線ＬＬＸ２の閉結状態と電話回線ＬＬＸ２の開放状態とを検出し、制御部１００ａは、この検出結果に対応する閉結状態を１ビットの論理‘１’で表す状態とし、電話回線ＬＬＸ２の開放状態を１ビットの論理‘０’で表す状態として、この開放状態／閉結状態を判定していた。
【００９７】
このため、制御部１００ａは、電話回線ＬＬＸ２が閉結状態であるのか、開放状態であるのかが分かるのみで、電話回線ＬＬＸ２が閉結時には閉結ノーマルの極性にあるのか、閉結リバースの極性にあるのかを知ることはできず、相手先電話機６００がオンフック状態にあるのかオフフック状態にあるのかが分からなかった。
【００９８】
すなわち従来の電話回線状態検出制御装置１００の動作は、ループ検出部１００ｄが閉結ノーマル／閉結リバースの極性検出ができなかったため、タイマのカウント満了のみを待って、このタイマ満了後に電話機（既認定アナログ電話機）４００を電話回線ＬＬＸ２に直接接続していた。
【００９９】
この直接接続のため、相手先電話機６００の応答がタイマ満了に比べて早い場合（これは、相手先電話機６００のユーザーが、タイマ満了前に送受話器を取った状態である）には、通話の始めが途切れることがあった。
【０１００】
これに対して、本実施形態のループ検出部１０ｄによる電話回線ＬＸ２のループ検出結果は、下に示す３種類の回線状態に分類され、制御部１０ａは、電話回線ＬＸ２の３種類の回線状態に対応した図３（ａ）に示すループ検出状態判定テーブルとループ検出部１０ｄの検出結果とを比較して電話回線ＬＸ２の開放状態／閉結状態（回線状態）を判定している。なお、このループ検出状態判定テーブルも記憶部１０ｂもしくは制御部１０ａに記憶しておいて、制御部１０ａからの要求に応じてループ検出状態判定テーブルのデータを制御部１０ａに出力するとよい。
【０１０１】
１つ目の検出状態は、電話回線ＬＸ２の閉結ノーマル状態である。この開放ノーマルは、この電話回線ＬＸ２に接続されている相手先電話機６０が電話機４０のダイヤル発信を着信しているが、相手先電話機６０の送受話器が置かれたオンフックの状態であり、電話回線ＬＸ２の２本の線ＬＸ２ｎ、ＬＸ２ｒが閉結状態とされて形成されるループを流れるループ電流の方向が予め定めた方向に流れる。このとき電話回線ＬＸ２の極性であるループ検出状態を２ビットの論理‘１０’と定義する。
【０１０２】
２つ目の検出状態は、電話回線ＬＸ２の閉結リバース状態である。この閉結リバースは、この電話回線ＬＸ２に接続されている相手先電話機６０が電話機４０のダイヤル発信を着信し、この着信に応じて相手先電話機６０の送受話器を取ったオフフックの状態であり、電話回線ＬＸ２の２本の線ＬＸ２ｎ、ＬＸ２ｒが閉結状態とされて形成されるループを流れるループ電流の方向が上で予め定めた閉結ノーマルの方向とは逆方向に流れる。このとき電話回線ＬＸ２の極性であるループ検出状態を２ビットの‘０１’と定義する。
【０１０３】
３つ目の検出状態は、電話回線ＬＸ２の開放状態である。この開放状態は、この電話回線ＬＸ２に接続されている相手先電話機６０の送受話器がフック上に置かれたオンフックの状態であり、このときの検出状態を２ビットの論理‘００’と定義する。
【０１０４】
ループ検出部１０ｄにより電話回線ＬＸ２の２本の線ＬＸ２ｎ、ＬＸ２ｒの電流およびその方向を検出され、出力されたこれらの検出結果は、ループ検出部１０ｄから制御部１０ａに通知され、制御部１０ａは、この検出結果と図３（ａ）のループ検出状態判定テーブルとを比較することにより、電話回線ＬＸ２の閉結時の極性が非反転である閉結ノーマルなのか、極性が反転した閉結リバースなのかを判定する（図５のステップＳ１０）。
【０１０５】
制御部１０ａの比較判定が、論理‘１０’すなわち電話回線ＬＸ２が閉結ノーマル（図５中のステップＳ１０の右側に「いいえ」と表示した流れ）であれば、制御部１０ａはこの電話回線ＬＸ２の閉結ノーマルに応じてステップＳ９のタイマ満了の判定に戻る。
【０１０６】
制御部１０ａの比較判定が、論理‘０１’すなわち電話回線ＬＸ２が閉結リバース（図５中のステップＳ１０の下側に「はい」と表示した流れ）であれば、相手先電話機６０において相手先電話機６０のユーザーが送受話器を取り応答していることになるので、制御部１０ａは切替部１０ｈを制御することにより、この電話回線ＬＸ２の閉結リバースに応じて電話機４０と電話回線ＬＸ２とを直接接続する（図５のステップＳ１１）。
【０１０７】
また、ステップＳ９の判定がタイマ満了（図５中、ステップＳ９の下側に示した「はい」の流れ）であれば、制御部１０ａは切替部１０ｈを制御することにより、この電話回線ＬＸ２の回線状態に応じて電話機４０と電話回線ＬＸ２とを直接接続する（図５のステップＳ１１）
この電話機４０と電話回線ＬＸ２を接続の後、ループ検出部１０ｄは、電話回線ＬＸ２の回線状態を検出し、制御部１０ａに通知し、制御部１０ａは、図３（ａ）の判定テーブルと比較することにより、電話回線ＬＸ２が開放状態であるか否かを判定する（図５のステップＳ１２）。
【０１０８】
制御部１０ａの比較判定が、論理‘０１’すなわち電話回線ＬＸ２が閉結リバース状態（図５中のステップＳ１２の右側に「いいえ：通話中」と表示した流れ）であれば、電話機４０と相手先電話機６０とはアナログ通話中であるので、制御部１０ａはこの電話回線ＬＸ２の閉結状態に応じて電話回線ＬＸ２との接続状態を継続する。
【０１０９】
制御部１０ａの比較判定が、論理‘００’すなわち電話回線ＬＸ２が開放状態（このとき、図５中のステップＳ１２の下側「はい」と表示した流れ）であればこのループ検出部１０ｄは検出結果を制御部１０ａに通知して、この通知により制御部１０ａは電話回線ＬＸ２の通話が終了したことを分かる。そこで、制御部１０ａは、電話機インタフェース部１０ｇを介して制御指示を出し電話回線ＬＸ２と電話機４０との接続を切断した後、電話機インタフェース部１０ｇを介して制御指示を出して電話機インタフェース部１０ｇと電話機４０との接続を行い、電話機４０もしくは電話回線状態検出制御装置１０への発信／着信が新たに生じるまでアイドル状態に戻る（図４のステップＳ１）。
【０１１０】
本実施形態では、電話回線状態検出制御装置１０は、電話回線ＬＸ２の未接続時でも専用回線ＬＸ１への発信要求があった場合には、制御部１０ａを経由して専用回線ＬＸ１を使用してＩＰ電話機６０ｉとのＩＰ通話を行うことが当然可能である。
【０１１１】
しかし、１１０番や１１９番などの緊急電話番号へのダイヤル発信が電話回線ＬＸ２側のみで可能である装置構成である場合には、電話回線状態検出制御装置１０は、記憶部１０ｂに記憶されている発信先情報にこのことを記憶しておき、上記と同様に電話回線未接続時には発信ができないことを電話機４０に通知するとよい。
【０１１２】
また、電話回線未接続時に電話機４０が専用回線ＬＸ１にダイヤル発信しようとした場合に、専用回線ＬＸ１への緊急電話番号発信ができないことを、電話機４０に通知するとよい。
【０１１３】
以上説明したように本発明によれば、電話回線状態検出制御装置１０は、電話回線ＬＸ２が回線未接続の状態で、電話機４０から電話回線ＬＸ２への発信が選択されて発信したときに、このダイヤル発信した電話機４０に対して話中音を送出し、電話機４０のユーザーに通知することが可能となる。
【０１１４】
また、ループ検出部１０ｄが、電話回線ＬＸ２とループ／トーン送出部１０ｃとの間に設けられることで、電話回線ＬＸ２の閉結状態が、電話機４０側で閉結されてループが形成されているのか、相手先電話機６０側で閉結されてループが形成されているのかも、ループ検出部１０ｄによる電話回線ＬＸ２の電流およびその電流の流れる方向の検出で、閉結方向を検出することも可能になる。
【０１１５】
また、電話回線が接続されている状態で、後位に接続された既認定アナログ電話から電話回線ＬＸ２への発信が選択されたときは、電話回線ＬＸ２へのダイヤル発信後一定時間経過前に相手応答があった場合には即座に電話機４０と電話回線ＬＸ２とをすることができ、従来の通話開始時に通話の始めが途切れる弊害がなくなるという優れた効果を得られる。
【０１１６】
なお、本実施形態は一例であり、例えばＩＰ通話を行う専用通信回線網、専用回線をイーサネットを例と説明したが、ＩＰ通話を行える専用線であればよく、ＡＤＳＬ（Asymmetric Digital Subscriber Line：非対称デジタル加入者線）などが他の専用回線、専用通信回線網の例として上げられるし、実施形態中の他の構成も、同様の機能を有し同様の動作をする形態であれば、上の記述に限らない。
【図面の簡単な説明】
【０１１７】
【図１】本実施形態の電話回線状態検出制御装置の構成例を示すブロック図である。
【図２】図２（ａ）は、本実施の形態の電話回線の接続状態（未接続状態）の判定を示す開放極性検出状態判定テーブルである。図２（ｂ）の上方は、従来技術による電話回線の極性反転判定を示す判定テーブルであり、下方は、従来技術の判定を行うために定義された電話回線の状態を示す参考テーブルである。
【図３】図３（ａ）は、本実施の形態の閉結時極性（電話回線の開放状態／閉結状態）検出判定を示すループ検出状態判定テーブルである。図３（ｂ）は、従来技術による電話回線ＬＬＸ２の閉結状態／開放状態の判定を示す判定テーブルである。
【図４】本実施形態の電話回線状態検出制御装置の回線未接続状態検出の手順を示すフローチャートである。
【図５】本実施形態の電話回線状態検出制御装置の閉結時極性検出の手順を示すフローチャートである。
【図６】従来の電話回線状態検出装置の構成例を示すブロック図である。
【符号の説明】
【０１１８】
１０    電話回線状態検出制御装置
１０ａ    制御部
１０ｂ    記憶部
１０ｃ    ループ／トーン送出部
１０ｄ    ループ検出部
１０ｅ    開放極性検出部
１０ｆ    リンガー検出部
１０ｇ    電話機インタフェース部
１０ｈ    切替部
２０    専用通信回線網（１０ＢＡＳＥ−Ｔ／１００ＢＡＳＥ−ＴＸ）
３０    電話回線網
４０    電話機（後位の既認定アナログ電話機）
６０    相手先電話機
ＬＮ１〜ＬＮ５    装置内回線
ＬＸ１    専用回線
ＬＸ２    電話回線
ＬＸ２ｎ    線
ＬＸ２ｒ    線
【図１】
2006262369.tif 000003
【図２】
2006262369.tif 000004
【図３】
2006262369.tif 000005
【図４】
2006262369.tif 000006
【図５】
2006262369.tif 000007
【図６】
2006262369.tif 000008
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
電話回線網、専用通信回線網および電話機が接続され、前記電話回線網または前記専用通信回線網を介して接続された相手先電話機へのダイヤル発信動作を前記電話機に代わって行う電話回線状態検出制御装置において、
前記電話回線網に接続され２本の線よりなる電話回線の前記２本の線の両方の線の電位が高い未接続状態と、
前記電話回線に着発信がなく前記２本の線のうちで一方の線の電位が高い極性非反転状態と、
前記電話回線の前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有することを特徴とする電話回線状態検出制御装置。
【請求項２】
前記電話回線状態検出制御装置において、
前記電話回線を介して接続された前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続する請求項１記載の電話回線状態検出制御装置。
【請求項３】
前記電話回線状態検出制御装置において、
前記電話回線状態検出制御装置の各部の動作を制御する制御部と、
前記電話回線網または前記専用通信回線網に接続された前記相手先電話機の発信先情報を記憶する記憶部と、
前記電話回線と前記電話回線を閉結状態にしてループを形成し、前記電話回線にトーンを送出するループ／トーン送出部と、
前記ループ検出部と、
前記開放極性検出部と、
前記電話回線の着信を検出するリンガー検出部と、
前記電話機の切替を制御する電話機インタフェース部と、
前記電話機インタフェース部の制御により切替を行う切替部と、
を備えた請求項１または２記載の電話回線状態検出制御装置。
【請求項４】
前記ループ検出部が、前記電話回線と、前記ループ／トーン送出部との間に設けられる請求項１〜３いずれか記載の電話回線状態検出制御装置。
【請求項５】
前記制御部が、前記電話回線の接続状態を示す開放極性検出状態判定テーブルと、前記開放極性検出部からの検出結果とを比較する請求項１〜４いずれか記載の電話回線状態検出制御装置。
【請求項６】
前記制御部が、前記電話回線の前記開放状態／前記閉結状態を示すループ検出状態判定テーブルと、前記ループ検出部からの検出結果とを比較する請求項１〜４いずれか記載の電話回線状態検出制御装置。
【請求項７】
前記制御部において、前記開放極性検出部からの検出結果と前記開放極性検出状態判定テーブルとが比較され、比較の結果、前記電話回線が前記未接続状態と判定された場合に、前記電話機に話中音を送出する請求項１〜６いずれか記載の電話回線状態検出制御装置。
【請求項８】
電話回線網、専用通信回線網および電話機が接続され、前記電話回線網または前記専用通信回線網を介して接続された相手先電話機へのダイヤル発信動作を前記電話機に代わって行う電話回線状態検出制御方法において、
前記電話回線網に接続され２本の線よりなる電話回線の前記２本の線の両方の線の電位が高い未接続状態と、
前記電話回線に着発信がなく前記２本の線のうちで一方の線の電位が高い極性非反転状態と、
前記電話回線に、前記相手先電話機が接続され、前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有して、電話回線状態検出制御を行うことを特徴とする電話回線状態検出制御方法。
【請求項９】
前記電話回線状態検出制御方法において、
前記電話回線を介して接続された前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続して、電話回線状態検出制御を行う請求項８記載の電話回線状態検出制御方法。
【請求項１０】
前記電話回線状態検出制御方法において、
前記電話回線状態検出制御装置の各部の動作を制御する制御部と、
前記電話回線網または前記専用通信回線網に接続された前記相手先電話機の発信先情報を記憶する記憶部と、
前記電話回線と前記電話回線を閉結状態にしてループを形成し、前記電話回線にトーンを送出するループ／トーン送出部と、
前記ループ検出部と、
前記開放極性検出部と、
前記電話回線の着信を検出するリンガー検出部と、
前記電話機の切替を制御する電話機インタフェース部と、
前記電話機インタフェース部の制御により切替を行う切替部と、
を備え、電話回線状態検出制御を行う請求項８または９記載の電話回線状態検出制御方法。
【手続補正２】
【補正対象書類名】明細書
【補正対象項目名】００１９
【補正方法】変更
【補正の内容】
【００１９】
上記目的を達成するために、第１の発明は、電話回線網、専用通信回線網および電話機が接続され、前記電話回線網または前記専用通信回線網を介して接続された相手先電話機へのダイヤル発信動作を前記電話機に代わって行う電話回線状態検出制御装置において、
前記電話回線網に接続され２本の線よりなる電話回線の前記２本の線の両方の線の電位が高い未接続状態と、
前記電話回線に着発信がなく前記２本の線のうちで一方の線の電位が高い極性非反転状態と、
前記電話回線の前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有する電話回線状態検出制御装置である。
【手続補正３】
【補正対象書類名】明細書
【補正対象項目名】００２０
【補正方法】変更
【補正の内容】
【００２０】
第２の発明は、前記電話回線状態検出制御装置において、
前記電話回線を介して接続された前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続するものである。
【手続補正４】
【補正対象書類名】明細書
【補正対象項目名】００２６
【補正方法】変更
【補正の内容】
【００２６】
第８の発明は、用通信回線網および電話機が接続され、前記電話回線網または前記専用通信回線網を介して接続された相手先電話機へのダイヤル発信動作を前記電話機に代わって行う電話回線状態検出制御方法において、
前記電話回線網に接続され２本の線よりなる電話回線の前記２本の線の両方の線の電位が高い未接続状態と、
前記電話回線に着発信がなく前記２本の線のうちで一方の線の電位が高い極性非反転状態と、
前記電話回線の前記２本の線のうちで他方の線の電位が高い極性反転状態と、
を前記２本の線の電位により検出する開放極性検出部と、
前記開放極性検出部による検出結果に応じて、前記電話機と前記電話回線との接続と、前記ダイヤル発信動作とを制御する制御部と
を有して、電話回線状態検出制御を行う電話回線状態検出制御方法である。
【手続補正５】
【補正対象書類名】明細書
【補正対象項目名】００２７
【補正方法】変更
【補正の内容】
【００２７】
第９の発明は、前記電話回線状態検出制御方法において、
前記電話回線を介して接続された前記相手先電話機のオンフック状態とオフフック状態とで、前記電話回線の２本の線が閉結状態とされて形成されるループを流れる電流の方向が異なる閉結ノーマル状態と閉結リバース状態と
前記相手先電話機がオンフック状態である前記電話回線の開放状態と
を前記電話回線の２本の線の電流およびその電流の流れる方向により検出するループ検出部を有し、
前記ダイヤル発信動作した後、予め定めた一定時間経過前に、前記電話回線の前記閉結リバース状態を検出したときに、前記電話機と前記電話回線とを接続し、
前記ダイヤル発信動作した後、予め定めた一定時間経過後に、前記電話機と前記電話回線とを接続して、電話回線状態検出制御を行う方法である。